(57)【要約】【課題】簡単な構造で小形であり、確実に効率よくもぐらを撃退することができるもぐら撃退装置とその設置方法を提供する。【解決手段】地中に全体が埋められる本体１２と、本体１２に収納され本体１２の側面内側に直接当接して取り付けられたモータ２２と、モータ２２を駆動する駆動電源である電池３０と、モータ２２の駆動軸２６の先端に偏心して取り付けられたおもり２８とを備える。本体１２の側面外側に沿って、地上に先端が立設されるアンテナ３２が設けられている。モータ２２は、本体１２に設けられた支持部材２５，２７により、駆動軸２６側及びその反対側端面も保持され、駆動軸２６の軸受け部２９も、本体１２の支持部材２５により保持されている。【選択図】　　　　図１
2004057131.tif 000002
【特許請求の範囲】
【請求項１】
地中に全体が埋められる本体と、上記本体に収納され上記本体の側面内側に直接当接して取り付けられたモータと、上記モータを駆動する駆動電源と、上記モータの駆動軸先端に偏心して取り付けられたおもりと、上記本体の側面外側に沿って取り付けられ地上にその先端が立設されるアンテナとが設けられていることを特徴とするもぐら撃退装置。
【請求項２】
上記アンテナは、上記本体から地上まで延びるカバー部材中に挿通されていることを特徴とする請求項１記載のもぐら撃退装置。
【請求項３】
上記モータは、上記本体に設けられた支持部材により駆動軸側及びその反対側端面も保持され、上記駆動軸の軸受け部が上記本体の支持部材により保持されていることを特徴とする請求項１記載のもぐら撃退装置。
【請求項４】
上記アンテナの先端には、上記アンテナの振動を感知する感知器が設けられ、上記アンテナを介して上記モータにより発生する振動を検知可能としたことを特徴とする請求項１または２記載のもぐら撃退装置。
【請求項５】
地中に全体が埋められる本体と、上記本体に収納され上記本体の側面内側に直接当接して取り付けられたモータと、上記モータを駆動する駆動電源と、上記モータの駆動軸先端に偏心して取り付けられたおもりと、上記本体の側面外側に沿って取り付けられ地上にその先端が立設されるアンテナとが設けられたもぐら撃退装置を備え、モータが直接当接した上記側面を水平方向に対して交差する面に設置して、上記本体の全体が地中に隠れるようにし、上記アンテナには、上記本体と地上の間に上記アンテナが挿通する空間を形成するカバー部材を取り付け、上記本体を地中に埋めるとともに上記アンテナの先端部が地上に出るように設置することを特徴とするもぐら撃退装置の設置方法。
【発明の詳細な説明】
【０００１】
【発明の属する技術分野】
この発明は、地中にいるもぐらを振動により追い出し近づけないようにするもぐら撃退装置とその設置方法に関する。
【０００２】
【従来の技術】
従来のもぐら撃退装置は、風力を利用してプロペラを回転させその振動によってもぐらをその周囲から追い出すものや、地中に突き刺す杭の中にブザーを取り付けて、そのブザーの音によりもぐらを追い出すものがあった。しかし、風力式のものは、風のないときには作動しないし、もぐらを撃退出来る範囲が狭く、効力も弱いものであった。また、ブザーによるものは、地中に杭を差し込んで常時ブザーを鳴らし続けるものであり、ブザーの接点の耐久性がなく、長期間の使用には耐え得ないものであった。しかも、ブザーによる音では、もぐらを撃退できる範囲が狭く、もぐらも慣れ易いという欠点もあった。
【０００３】
そこで、実開昭６２−８０５７７号公報、実開平１−３５８１号公報または実開平２−８７４８５号公報に開示されているように、地中に差し込むパイプ状の杭の中にモータを装着し、このモータの回転軸に振動対を取り付け、この振動体がパイプ内壁面に当たって、振動を発生し、この振動によりもぐらをその周囲から撃退するものが提案されている。
【０００４】
【発明が解決しようとする課題】
上記従来の技術の振動体を用いたものの場合、モータにより振動体を振動させその振動を板バネ等で外側容器に伝えるという間接的な振動伝達方式であり、モータの回転力による振動が途中で減衰し有効に振動を地中に伝達しているものではなかった。従って、もぐらの撃退範囲が狭く、もぐらもその振動に慣れ易いものであった。さらに、従来のもぐら撃退装置は、電源ボックス等の装置の一部分が地上に設置され、地上部分の振動は空気中に拡散し無駄であり、しかも通行の支障になったり景観を損なうという問題があった。
【０００５】
この発明は上記従来の問題点に鑑みてなされたものであり、簡単な構造で小形であり、確実に効率よくもぐらを撃退することができるもぐら撃退装置とその設置方法を提供することを目的とする。
【０００６】
【課題を解決するための手段】
この発明は、地中に全体が埋められる本体と、上記本体に収納され上記本体の側面内側に直接当接して取り付けられたモータと、上記モータを駆動する駆動電源と、上記モータの駆動軸先端に偏心して取り付けられたおもりと、上記本体の側面外側に沿って取り付けられ地上にその先端が立設されるアンテナとが設けられているもぐら撃退装置である。上記モータは、上記本体に設けられた支持部材により駆動軸側及びその反対側端面も保持され、上記駆動軸の軸受部も上記本体の支持部材により保持されている。
【０００７】
また、上記アンテナは、上記本体から地上まで延びるパイプ等のカバー部材中に挿通されている。そして、上記アンテナの先端には、上記アンテナの振動を感知する感知器が設けられ、上記アンテナを介して上記モータにより発生する振動を検知可能としている。上記感知器は、例えば一対の金属製のリングが鎖状に繋がれたものであり、一方のリングを上記アンテナの先端に吊り下げて取り付けられている。そして上記アンテナが振動すると、一対のリングが互いに衝突して音を出したり揺れたりする。これにより、上記アンテナが振動していることを検知することが出来る。
【０００８】
また、地中に全体が埋められる本体と、上記本体に収納され上記本体の側面内側に直接当接して取り付けられたモータと、上記モータを駆動する駆動電源と、上記モータの駆動軸先端に偏心して取り付けられたおもりと、上記本体の側面外側に沿って取り付けられ地上にその先端が立設されるアンテナとが設けられたもぐら撃退装置を備え、モータが直接当接した上記側面を水平方向に対して交差する面に設置して、上記本体の全体が地中に隠れるようにし、上記アンテナには、上記本体と地上の間に上記アンテナが挿通する空間を形成するパイプ等のカバー部材を取り付け、上記本体を地中に埋めるとともに上記アンテナの先端部が地上に出るように設置するもぐら撃退装置の設置方法である。
【０００９】
この発明のもぐら撃退装置は、モータによりおもりが回転する際に生じる振動が、本体に直接伝わり、本体に伝わった振動は本体が接する地面に伝わり、地中のもぐらをその周辺から追い出し、侵入を阻止する。また、本体の振動の様子はアンテナに伝わり、アンテナの地上部分の先端に設けられた感知器により地上で振動を検知することができる。
【００１０】
【発明の実施の形態】
以下、この発明の実施形態について図面に基づいて説明する。図１はこの発明の一実施形態を示すものであり、この実施形態のもぐら撃退装置１０は、図１に示すようにプラスチック製や金属製等の本体１２が設けられ、本体１２は筒状の側面１４と、側面１４の両端部を閉鎖する一対の端面１６，１８から成る。本体１２は、その円筒状の一部に図示しない雄ネジ部と雌ネジ部が形成され互いに螺合可能であるとともに２分されるように形成されるとともに、砂や土が入らないように密閉された容器である。
【００１１】
本体１２の内側には、ほぼ中央にモータ２２の駆動用の回路が形成された回路基板２０が設けられている。本体１２の、回路基板２０より一方の端部１６寄りの内側には、モータ２２が設けられている。モータ２２は、本体１２の内面に密に嵌合可能な直径であり、側面１４内に緊密に当接している。モータ２２と端面１６の内壁面には空間２４が設けられ、空間２４には、モータ２２の駆動軸２６が、本体１２の側面１４に対してほぼ平行に突出している。駆動軸２６の先端には、おもり２８が取り付けられている。おもり２８には、その偏心した位置に駆動軸２６が固定されている。
【００１２】
さらに、モータ２２は、本体１２に一体に設けられた隔壁状の支持部材２５，２７により駆動軸２６側及びその反対側端面も保持されている。駆動軸２６の軸受け部２９も、本体１２の支持部材２５により挟持されている。
【００１３】
本体１２には、回路基板２０のモータ２２と反対側に、モータ２２の駆動電源となる２個の電池３０が挿入され、回路基板２０に接続されている。電池３０は、例えば単三乾電池等を用いる。
【００１４】
本体１２の側面１４の外側には、金属等の棒で作られたアンテナ３２が取り付けられている。アンテナ３２の、本体１２に取り付けられる一端部３２ａに近い部分は、側面１４の長手方向に沿って固定部３４に取り付けられている。アンテナ３２は、本体１２の側面１４の一端部１４ａに隣接する位置で、本体１２から離れる方向へ所定角度に折り曲げられ、地表面３８に向かって延出する。そして、アンテナ３２の他方の端部３２ｂは、地表面３８からほぼ直角に、外側に突出する。
【００１５】
この実施形態のもぐら撃退装置１０には、アンテナ３２にカバー部材であるパイプ４０が地表面３８に対してほぼ直角に埋設されて設けられている。パイプ４０はアンテナ３２が挿通される円筒形である。パイプ４０の下端部４０ａは、地表面３８に埋設された本体１２の一端部１４ａ近傍に達している。パイプ４０の上端部４０ｂは、地表面３８から上方へ突出しアンテナ３２の端部３２ｂよりわずかに下方に位置している。
【００１６】
アンテナ３２の端部３２ｂは、丸く折り返されて環部４２が形成されている。環部４２には、アンテナ３２の振動を感知する感知器である大型の第一リング４４が挿通されて取り付けられている。また、第一リング４４には、小型の第二リング４６が鎖状に繋がれて取り付けられている。第一リング４４と第二リング４６は、金属製であり、本体１２の振動がアンテナ３２に伝わり、環部４２で第一リング４４とぶつかったり、第一リング４４と第二リング４６互いにぶつかったりして、カチカチと音がしたり揺れたりする。
【００１７】
この実施形態のもぐら撃退装置１０の動作は、本体１２に電池３０を入れ図示しないスイッチを入れるとモータ２２が回転し、駆動軸２６が軸周りに回転する。このとき、駆動軸２６にはおもり２８が偏心して取り付けられているため、モータ２２に振動が発生する。モータ２２の振動は本体１２の側面１４に直接伝る。モータ３３の回転は連続回転でもよく、また回路基板２０に制御回路を設けて間欠回転にしてもよい。間欠運転にすることにより、消費電力を抑え電池寿命を延ばすことができる。
【００１８】
この実施形態のもぐら撃退装置１０の設置方法は、先ず地表面３８を所定深さに掘り、本体１２に電池３０を入れて振動を発生する状態にし、本体１２の一端部１４ａが上方に位置するように本体１２の側面１４を水平方向に対して交差する面に設置する。つまり側面１４の中心軸が水平方向に対して交差するように設置する。そして、図示しないスイッチを入れ、パイプ４０に挿通されたアンテナ３２を、地表面３８に対してほぼ直角となるようにして、本体１２を埋める。本体１２は、電池３０が消耗するまで動作を継続し、地表面３８の下部を振動させ、もぐらを排除する。本体１２が振動しているとき、振動は固定部３４を通してアンテナ３２に伝わり、第一リング４４と第二リング４６が振動して音を発生したり揺れたりする。音が発生しなくなったりゆれが止まることで、電池３０が消耗したりモータに不具合が生じたことを検出する。電池３０が消耗した後は、掘り起こして再利用してもよく、コストが安価であるので廃棄物として処理しても良い。
【００１９】
この発明のもぐら撃退装置１０によれば、形状が小形であり、少ない消費電力で効率良くもぐらを排除することができる。モータ２２が本体１２の側面１４にほぼ密着しているため、モータ２２の振動は減衰せずに側面１４を伝わりさらに地表面３８の下方の広い範囲に伝えることができ、エネルギーの無駄がなく効率が良い。側面１４を水平方向に対して交差して設置するため、モータ２２の振動が本体１２の側面１４に伝わり、地面の深さ方向にもより幅広く振動を伝えることができる。電池３０の消耗状態やモータ２２の不具合は、アンテナ３２に取り付けられた第一リング４４と第二リング４６が振動により触れ合う音や揺れる状態により、地上から判断することができ、管理が容易となる。第一リング４４と第二リング４６は簡単な構造でありコストがかからず、小さい振動も検知することができる。
【００２０】
また、モータ２２は支持部材２５，２７により本体１２とともに全面が保持され、本体１２と一体的に設けられ、さらに軸受け部２９も支持部材２５により保持されているので、モータ２２の振動が確実に効率よく本体１２に伝わるとともに、軸受け部２９が重り２８の偏心による振動で容易に壊れてしまうことを防止する。
【００２１】
なお、この発明のもぐら撃退装置は、上記実施の形態に限定されるものではなく、おもりの形状や本体の形状等は、任意に決定できるものであり、アンテナの長さ等は設置する地面の状況に合わせて設定する。アンテナの振動を感知する感知器は、上記以外にＬＥＤを付けても良く、振動中はＬＥＤを点滅させることにより、さらに確実に簡単に動作状態を確認することができる。
【００２２】
【発明の効果】
この発明のもぐら撃退装置は、簡単な構造で小形であり、少ない消費電力で確実にもぐらを撃退することができる。さらに、モータを支持部材で保持することにより効率的に振動が周囲に伝達され、またモータの軸受け部を保持することにより、モータの軸受け部の寿命を延ばすことができる。また、この発明のもぐら撃退装置の設置方法によれば、モータに発生する振動が地中に効率良く伝わるため、エネルギーの無駄がなく広範囲に広がり、効果的にモグラの侵入を防ぐ。
【図面の簡単な説明】
【図１】この発明の一実施形態のもぐら撃退装置の縦断面図である。
【符号の説明】
１０　もぐら撃退装置
１２　本体
１４　側面
１６，１８　端面
２０　回路基板
２２　モータ
２４　空間
２５，２７　　支持部材
２６　駆動軸
２８　おもり
２９　軸受け部
３０　電池
３２　アンテナ
３４　固定部
３８　地表面
４０　パイプ
４２　環部
４４　第一リング
４６　第二リング
【図１】
2004057131.tif 000003